(57)【特許請求の範囲】
【請求項１】
意匠に基づく装飾効果に加えて、光を用いた演出を行う電飾装置であって、
予め定めた回転軸を中心に回転可能に保持され、少なくとも凹面側が鏡面に仕上げられ凹面鏡とされた部分球形状の可動リフレクタと、
前記可動リフレクタの凹面鏡に対向する側、かつ回転軸近傍に設けられ、直接及び前記可動リフレクタの凹面鏡からの反射によって演出提供先へ案内される光を出力する第１の光源部と、
前記可動リフレクタを、前記第１の光源部から出力される光のほぼ全部を前記演出提供先に直接届かせる背面位置、前記第１の光源部から出力される少なくとも光の一部を前記演出提供先に直接届かせないように遮る遮蔽位置の間で回転させる駆動手段と、
前記可動リフレクタが前記背面位置に位置決めされた状態で、当該可動リフレクタの凸面側に対向して配置され、当該凸面側と対面する面が鏡面に仕上げられた凹面鏡とされた固定リフレクタと、
前記背面位置の可動リフレクタの凹面鏡、或いは、前記可動リフレクタが遮蔽位置のときに前記固定リフレクタの凹面鏡に対して光を出力させる第２の光源部と、
前記第１の光源部、前記第２の光源部、前記駆動手段のそれぞれを制御して、前記演出提供先への光の演出を制御する制御手段とを有し、
前記可動リフレクタには、前記遮蔽位置に位置決めされたとき、前記第１の光源部からの光の一部を貫通させて演出提供先へ案内すると共に、前記背面位置に位置決めされたとき、前記第２の光源部からの光の一部を貫通させて固定リフレクタへ案内する貫通孔が設けられていることを特徴とする電飾装置。
【請求項２】
前記貫通孔には、シャッターが設けられていることを特徴とする請求項１記載の電飾装置。
【請求項３】
前記可動リフレクタの周縁よりも外側から、前記第２の光源部から出力され、前記固定リフレクタの凹面鏡によって反射された光が出力される隙間が設けられていることを特徴とする請求項１又は請求項２記載の電飾装置。
【請求項４】
前記第１の光源部及び前記第２の光源部をそれぞれ表裏面に支持すると共に、
前記可動リフレクタ及び前記固定リフレクタからの反射光に少なくとも焦点位置を回避する位置であり、かつ、当該反射光の前途を遮る割合が抑制された位置に設けられた支持部材をさらに有することを特徴とする請求項１〜請求項３の何れか１項記載の電飾装置。
【請求項５】
前記請求項１〜請求項４の何れか１項記載の電飾装置を備えた遊技機。
【発明の詳細な説明】
【技術分野】
【０００１】
本発明は、装飾品の一部として本体に取り付けられ、意匠に基づく装飾効果に加えて、光を用いた演出を行う電飾装置、及び電飾装置を備えた遊技機に関するものである。
【背景技術】
【０００２】
遊技機に取り付けられ、主として装飾品は、管理上、歩留まり上の観点から部品の簡素化、共通化を図る傾向にある。装飾品の一つである電飾装置においても同様である。なお、電飾装置は、演出の一部として用いる場合ある。
【０００３】
電飾装置として、回転灯を設けた遊技機が提案されている。例えば、回胴式遊技機（所謂、パチスロ機）では当りフラグのセット時等に回転灯の固定光源の周りを回転する反射用凹面鏡（リフレクタ）によって、遮光や発光を繰り返し、視覚的な装飾効果を高めるようにしている（特許文献１参照）。
【０００４】
なお、弾球式遊技機（所謂、パチンコ機）に回転灯が搭載された場合、リーチ演出において、当り／外れの報知決定時期に近づくにつれて期待感を高める演出の１つとして利用される。
【０００５】
この特許文献１に示される回転灯は、リフレクタが光源発光方向を遮蔽したときの出力光量と、光源の発光方向裏面側に配置され反射機能が発揮されたときの出力光量との差が大きく、視覚的変化が大きいが、多様性に欠けるという課題がある。
【０００６】
一方、特許文献２には、複数の光源、並びに複数の（二重構造の）リフレクタを設けた構造の回転灯が開示されている。
【０００７】
この特許文献２の回転灯は、回転するリフレクタと固定されたリフレクタとをほぼ同一の中心を基準として配置し、当該中心位置には、一方の光源を配置され、固定されたリフレタタには貫通孔が設けられ、この貫通孔の外側に他方の光源が配置された構造となっている。回転するリフレクタは背面側（固定されたリフレクタと対面する凸側）も鏡面として機能する。
【０００８】
このような構造の特許文献２の回転灯によれば、発光演出によって、２つの異なる位置の光源、２つのリフレクタの相対位置等の調整により、多様性を持った光の演出が可能となる。
【先行技術文献】
【特許文献】
【０００９】
【特許文献１】特開２００８−１８０４０号公報
【特許文献２】特開２００７−１８５３０２号公報
【発明の概要】
【発明が解決しようとする課題】
【００１０】
しかしながら、特許文献２の構造の回転灯では、固定されたリフレタの外側にさらに光源を設ける構造となっており、奥行き方向の寸法が、特許文献１の構造の回転灯（単一光源、単一リフレクタ）に比べて、大幅に増大することになり、その取付位置が制限される。
【００１１】
例えば、パチンコ機等に電飾装置を搭載する際、主として、遊技盤中央のＬＣＤ表示部の前側の、奥行き方向に制限がある領域に配置し、当該電飾装置自体を可動として、前記ＬＣＤ表示部の前側の演出位置と、ＬＣＤ表示部の表示面を隠蔽しない退避位置との間を移動させることが多く、この取付領域への配置のための周辺部材との干渉を回避するための設計等、開発期間の長期化を招く恐れがある。
【００１２】
本発明は上記事実を考慮し、多様性のある光の演出のため、複数光源、複数リフレクタの構造とし、かつ奥行き方向の寸法増大を軽減することができ、制限のある領域へ周辺部材と干渉することなく、容易に取り付けることができる電飾装置及び遊技機を得ることが目的である。
【課題を解決するための手段】
【００１３】
本発明は、意匠に基づく装飾効果に加えて、光を用いた演出を行う電飾装置であって、予め定めた回転軸を中心に回転可能に保持され、少なくとも凹面側が鏡面に仕上げられ凹面鏡とされた部分球形状の可動リフレクタと、前記可動リフレクタの凹面鏡に対向する側、かつ回転軸近傍に設けられ、直接及び前記可動リフレクタの凹面鏡からの反射によって演出提供先へ案内される光を出力する第１の光源部と、前記可動リフレクタを、前記第１の光源部から出力される光のほぼ全部を前記演出提供先に直接届かせる背面位置、前記第１の光源部から出力される少なくとも光の一部を前記演出提供先に直接届かせないように遮る遮蔽位置の間で回転させる駆動手段と、前記可動リフレクタが前記背面位置に位置決めされた状態で、当該可動リフレクタの凸面側に対向して配置され、当該凸面側と対面する面が鏡面に仕上げられた凹面鏡とされた固定リフレクタと、前記背面位置の可動リフレクタの凹面鏡、或いは、前記可動リフレクタが遮蔽位置のときに前記固定リフレクタの凹面鏡に対して光を出力させる第２の光源部と、前記第１の光源部、前記第２の光源部、前記駆動手段のそれぞれを制御して、前記演出提供先への光の演出を制御する制御手段とを有し、前記可動リフレクタには、前記遮蔽位置に位置決めされたとき、前記第１の光源部からの光の一部を貫通させて演出提供先へ案内すると共に、前記背面位置に位置決めされたとき、前記第２の光源部からの光の一部を貫通させて固定リフレクタへ案内する貫通孔が設けられていることを特徴としている。
本発明において、前記貫通孔には、シャッターが設けられていることを特徴としている。
【００１４】
本発明によれば、可動リフレクタが背面位置にあるときは、演出提供先に対して、第１の光源部からの光が、直接出力されると共に、可動リフレクタの凹面鏡で反射されて出力される。また、このとき、演出提供先に対して、第２の光源部からの光は、可動リフレクタの凹面鏡で反射されて出力されるため、２種の光源部からの光を合成して演出することができる。
【００１５】
一方、可動リフレクタが遮蔽位置にあるときは、演出提供先に対して、第２の光源部からの光が固定リフレクタの凹面鏡で反射されて出力されると共に、第１の光源部からの光が、可動リフレクタの凹面鏡、続いて固定リフレクタの凹面鏡で反射されて出力される。
【００１６】
このように、演出提供先に対する光による演出の多様性を得ることができる。
【００１７】
また、この多様性のある演出を実現する場合、従来は、可動リフレクタの凸面側を鏡面仕上げする必要があり、かつ、固定リフクレタの一部を貫通させ、固定リフクレタの外側に光源部を配置する必要があった。
【００１８】
しかしながら、本願発明では、可動リフレクタが退避位置にあるとき、固定リフレクタの凹面鏡と対面する凸面側は、鏡面仕上げをする必要がない。また、基本的に固定リフレクタ用の光源である第２の光源部を可動リフレクタの内側に配置することができ、例えば、固定リフクレタの一部を貫通させ、固定リフクレタの外側に光源部を配置する必要がないので、奥行き方向の寸法を軽減することができる。
【００２０】
可動リフレクタに貫通孔を設けることで、遮蔽位置に位置決めされていても、光の一部を貫通孔から貫通させることができ、演出効果をさらに向上することができる。
【００２１】
なお、貫通孔からの光透過度は１００％に限定されるものではなく、例えば、フィルタ等を貼りつけることで、光量を１００％未満にしてもよいし、特定の色のみ透過させるようにしてもよい。また、貫通孔にさらに可動シャッターを設けるようにしてもよい。
【００２２】
本発明において、前記可動リフレクタの周縁よりも外側から、前記第２の光源部から出力され、前記固定リフレクタの凹面鏡によって反射された光が出力される隙間が設けられていることを特徴としている。
【００２３】
可動リフレクタの外形寸法よりも、固定リフレクタの外形寸法を大きくすることで、この可動リフクレタが遮蔽位置、背面位置の何れに位置決めされていても、その外周（可動リフレクタの周縁と固定リフレクタの周縁との隙間）から固定リフレクタの凹面鏡からの反射光を演出提供先へ出力することができ、さらに、演出効果の多様化を図ることができる。
【００２４】
本発明において、前記第１の光源部及び前記第２の光源部をそれぞれ表裏面に支持すると共に、前記可動リフレクタ及び前記固定リフレクタからの反射光に少なくとも焦点位置を回避する位置であり、かつ、当該反射光の前途を遮る割合が抑制された位置に設けられた支持部材をさらに有することを特徴としている。
【００２５】
第１の光源部及び第２の光源部を支持部材を介して、可動リフクレタの凹面鏡の内側であり、かつ回転軸上に配置する場合、当然支持部材が光路上に配置されることになる。このとき、光はほとんど拡散光であるので、光束の全てが遮られることはない。仮に、集光光であった場合、その焦点位置を回避して支持部材を配置すれば、光束の全てが遮られることはない。これにより、演出提供先には、支持部材の存在をわかりずらくすることができる。
【００２６】
本発明の電飾装置を搭載した遊技機を特徴とする。
【００２７】
本発明の電飾装置を遊技機に搭載することで、例えば、遊技仕様に基づく抽選の結果を報知するための主たる手段として表示装置があり、当該表示装置で前記抽選の結果を報知するとき、必要に応じて、電飾装置による光の演出、或いは動作演出を併用することで、遊技者への抽選の結果の報知結果への期待感（例えば、当/落抽選であれば、電飾装置の光具合で当選の可能性が高くなるといった期待感）を持たせることができる。
【００２８】
一例として、表示装置の前面に出没可能に本発明の電飾装置を配置し、通常は表示装置と重ならない待避位置に位置決めされ、何らかの特別の報知（予告報知等）が必要なときに待避位置から表示装置の前面位置まで配置させる。電飾装置自体が装飾部材としての役目を持っているため、これだけでも演出となるが、さらに、表示装置の前で光による演出を実行することで、遊技者は大いに期待感をもって抽選結果を待つことになる。
【発明の効果】
【００２９】
以上説明した如く本発明では、多様性のある光の演出のため、複数光源、複数リフレクタの構造とし、かつ奥行き方向の寸法増大を軽減することができ、制限のある領域へ周辺部材と干渉することなく、容易に取り付けることができるという優れた効果を有する。
【図面の簡単な説明】
【００３０】
【図１】本実施の形態に係るパチンコ機の正面図である。
【図２】本実施の形態に係る遊技盤の正面図（演出電飾部の可動リフレクタ遮蔽位置）である。
【図３】本実施の形態に係る制御系のハード構成を示すブロック図である。
【図４】本実施の形態に係る主電飾装置であり、（Ａ）はその正面図、（Ｂ）は図４（Ａ）のＩＶＢ−ＩＶＢ線断面図である。
【図５】本実施の形態に係る電飾演出部の特徴部分を強調した側面断面図であり、（Ａ）は可動リフレクタ遮蔽位置状態、（Ｂ）は可動リフレクタ背面位置状態を示す。
【図６】第１の光源部及び第２の光源部を支持する支持部材による光路の影響度合いを示す概略図であり、（Ａ）が適正な配置状態、（Ｂ）は不適正な配置状態を示す。
【図７】本実施の形態に係る電飾演出部の正面図であり、（Ａ）は可動リフレクタ遮蔽位置状態、（Ｂ）は可動リフレクタ背面位置状態を示す。
【図８】本実施の形態に係る遊技盤の正面図（演出電飾部の可動リフレクタ背面位置）である。
【発明を実施するための形態】
【００３１】
（パチンコ機の構成）
図１に示されるように、パチンコ機１０の前面下部には、化粧パネルとなる下飾り１２が取り付けられている。
【００３２】
また、パチンコ機１０の下飾り１２の上部には、互いに平行、かつ奥行き方向に所定の間隔をおいて配置された一対のガラス板１４を装着したガラス枠１６が配置されており、ガラス枠１６は左側端部が軸支されて開閉可能に取り付けられている。このガラス枠１６の奥側には、着脱交換可能な遊技盤１８がセットされており、遊技盤１８は、ガラス枠１６で閉塞された状態でガラス板１４に対向するようになっている。
【００３３】
ガラス枠１６の下部には、一体皿２４が配置されている。一体皿２４の図１の右端部には、鍵穴２７が設けられ、この鍵穴２７にキーを差し込み、左右の内、一方に回すとガラス枠１６が開放し、他方に回すと一体皿２４が開放する。
【００３４】
一体皿２４には、上皿部２８と、下皿部３０とが設けられている。上皿部２８を形成する周縁壁部３２には、上皿球抜きレバー３４が設けられ、この上皿球抜きレバー３４を操作することで、上皿部２８に貯留された遊技球を下皿部３０へ送り出すことができるようになっている。また、下皿部３０には、下皿球抜きボタン３６が設けられ、この下皿球抜きボタン３６を操作することで、下皿部３０に貯留された遊技球ＰＢを外部（例えば、所謂「ドル箱」）へ排出することができるようになっている。
【００３５】
上皿部２８の周縁壁３２における図１の右端部には、球貸ボタン４２と、返却ボタン４４が設けられている。
【００３６】
また、一体皿２４の右側下部には打球の発射力（飛距離）を調整するためのグリップユニット（発射ハンドル）２６が取り付けられ、左側下部には、灰皿４６が取り付けられている。
【００３７】
一体皿２４における下皿部３０の図１の右側には受け皿スピーカ６０Ｕが配置されている。
【００３８】
ここで、一体皿２４における上皿部２８の周縁壁３２には、遊技者が操作可能な操作ボタン５０が設けられている。この操作ボタン５０は、遊技中において、操作有効期間中に操作することで、演出画像に対して介入することができるようになっており、それぞれの遊技仕様によって設定される。
【００３９】
ガラス枠１６におけるガラス板１４の周囲には、アーチ状に遊技の進行に応じて点灯、消灯、及び点滅し照明による視覚的効果や、音声等による聴覚的効果等の演出効果を生み出す上部演出部５２が配置されている。この上部演出部５２の下端部は、一体皿２４の周囲に略Ｕ字型に配置された下部演出部５４の上端部と連結されている。
【００４０】
この結果、上演出部５２と下演出部５４とで、遊技盤１８の周囲を取り囲むように、演出部５６が形成されている。
【００４１】
この演出部５６は、上演出部５２及び下演出部５４共に、照明部材（ＬＥＤ等）が取り付けられた基板（図示省略）と、この基板を覆うように、所定の意匠で形成されたレンズカバー５８が取り付けられている。
【００４２】
レンズカバー５８は、前記照明部材が点灯する領域を区画するよう凹凸状にカットされており、区画された領域（以下、必要に応じて「レンズ部５８」という）毎に照明部材の点灯制御がなされる。なお、照明部材は基本的にＲ（赤色）、Ｇ（緑色）、Ｂ（青色）の３色に点灯するＬＥＤが１組となっており、それぞれの点灯時の光量比により、様々な配色の点灯が可能となっている。また、ガラス枠の上部角部には、それぞれ三連表示６２が設けられ、遊技状態の報知（エラー報知等を含む）に適用される。
【００４３】
また、前記上演出部５２における、ガラス枠１６の上部円弧の約１／３に相当する領域の中央及び両端には、ガラス枠スピーカ６０Ｃ、６０Ｌ、６０Ｒが内蔵され、照明と同時に、音声を出力する。
【００４４】
なお、以下では、前述した受け皿スピーカ６０Ｕと、このガラス枠スピーカ６０Ｃ、６０Ｌ、６０Ｒを総称して、「スピーカ６０」という。
【００４５】
（遊技盤の構成）
図２に示される遊技盤１８は、基板となるベニヤ板に樹脂製シート状のセルが貼着されてそのセルの表面が盤面となっており、盤面の外周端部付近に、円弧状の外レール１０２及び内レール１０４が取り付けられている。
【００４６】
前記外レール１０２及び内レール１０４との間は、一定の間隔を持って球案内流路１９７が形成されている。球案内流路１９７は、発射装置１６５（図３参照）から発射された遊技球ＰＢを遊技盤１８の円形状の領域(遊技領域）へ案内する役目を有している。なお、この球案内流路１９７の終端には、球逆流防止弁１９９が取り付けられている。球逆流防止弁１９９は、その基部が内レール１０４の先端部に取り付けられ、外レール１０２方向に延長されている。
【００４７】
前記遊技盤１８における、外レール１０２（並びに一部が内レール１０４）によって囲まれた円形状の領域は、発射装置１６５（図３参照）から発射されて、前記球案内流路２００を介して打ち込まれた遊技球ＰＢが自重落下により移動可能とされ、この領域が遊技を行う遊技領域とされている。
【００４８】
遊技盤１８の遊技領域には、遊技釘１９が点在して打ち込まれている。また、遊技領域におけるほぼ中央には、センター役物１０５が配置されている。センター役物１０５は、各種演出等の映像を表示する液晶表示部（ＬＣＤ表示部）１０６を備えている。
【００４９】
なお、図２において、ＬＣＤ表示部１０６の画像表示面に重なるように、本実施の形態に係る主電飾装置２００と、副電飾装置２０２Ｌ、２０２Ｒが配置されている。この主電飾装置２００及び副電飾装置２０２Ｌ、２０２Ｒは、常時、この位置にあるのではなく、通常状態では、主電飾装置２００がＬＣＤ表示部１０６の上部、副電飾装置２０２Ｌ、２０２ＲがＬＣＤ表示部１０６の左右（それぞれセンター役物１０５の内側）に退避され、特別の演出が指示されたときに、当該図２の位置に配置される（演出位置）されるようになっている。
【００５０】
ＬＣＤ表示部１０６では、例えば、３列の図柄列が独立して変動し、最終的に３列の図柄列が同一図柄で停止した場合に特別図柄抽選の当選を報知するといった、図柄変動パターン演出が実行される。なお、３列の内、先に２列が同一図柄で停止（仮停止）して、残りの１列が変動中の場合を、「リーチ」という。
【００５１】
センター役物１０５の下辺部は、ステージ１０５Ｓが形成されている。ステージ１０５Ｓには、釘等で跳ね返えることで受け入れた遊技球ＰＢ、或いは図示しないワープ路に案内されて受け入れた遊技球ＰＢが送り込まれるようになっている。
【００５２】
ステージ１０５Ｓは、傾斜面や突起部等が形成され、前記遊技球ＰＢの移動が当該傾斜面や突起部等により不規則に変化し、最終的に下辺手前から遊技盤１８へ戻されるようになっている。
【００５３】
図２に示される如く、センター役物１０５の図２に向かって左側には、普通図柄抽選の始動機能を持つ通過ゲート１１８が配置されている。
【００５４】
また、センター役物１０５の下部には、特別図柄始動入賞口（Ａ）１３０と特別図柄始動入賞口（Ｂ）１３４とが縦列に配置されている。
【００５５】
特別図柄始動入賞口（Ａ）１３０が常時入賞可能に上部が開口しており、一方、特別図柄始動入賞口（Ｂ）１３４の上部開口は、特別図柄始動入賞口（Ａ）１３０が閉塞している。
【００５６】
この特別図柄始動入賞口（Ｂ）１３４には、電動チューリップ１３６が取り付けられている。電動チューリップ１３６は、遊技盤１８の裏面側に配設された電チューソレノイド１３８（図３参照）の通電・非通電によって開閉する構成となっている。
【００５７】
ここで、電動チューリップ１３６が開放状態になると、特別図柄始動入賞口（Ｂ）の入賞開口部へのパチンコ球ＰＢの受け入れが可能となり、パチンコ球ＰＢの入賞が可能となる。
【００５８】
さらに、図２に示される如く、前記特別図柄始動入賞口（Ｂ）１３４のさらに下部には、遊技領域の下端部付近に位置してアタッカー１１２が配置されている。
【００５９】
アタッカー１１２には、開閉扉１１６が設けられている。この開閉扉１１６が、アタッカーソレノイド１４８（図３参照）の通電・非通電によって開放又は閉塞する。すなわち、開閉扉１１６の開放時には、開閉扉１１６上に落下した遊技球ＰＢが開閉扉１１６に案内されてアタッカー１１２へ入賞する。
【００６０】
また、遊技領域の最下位置には、外れ球を遊技盤１８の裏側へ排出するアウト口１２４が設けられている。
【００６１】
さらに、センター役物１０５よりも下、かつ特別図柄始動入賞口（Ａ）１３０と特別図柄始動入賞口（Ｂ）１３４の左右には、複数の一般入賞口１２０（本実施の形態では、図２に向かって左側に２個の一般入賞口１２０Ａ、１２０Ｃ、右側に１個の一般入賞口１２０Ｃとする。）が設けられている。なお、一般入賞口１２０は、３個に限られるものではなく、例えば、入賞率等の設計上の演算によってその数を決めればよい。
【００６２】
また、この遊技領域に設けられたセンター役物１０５や盤面周縁には、遊技の進行に応じて点灯、消灯、及び点滅し照明による演出効果を生み出す照明演出用の発光素子１３７（図３参照）が多数設けられている。
【００６３】
ここで、特別図柄始動入賞口（Ａ）１３０又は特別図柄始動入賞口（Ｂ）１３４に遊技球ＰＢが入賞すると、特別図柄抽選が実行され、この特別図柄抽選に当選すると、前記アタッカー１１２の開閉扉１１６が所定のパターンで開閉動作し、これを所定回数（所定ラウンド）繰り返すようになっている（「特別遊技状態」又は「大役処理」等と言う場合がある）。
【００６４】
なお、前記特別図柄抽選の当選／落選は、主としてＬＣＤ表示部１０６の図柄変動表示演出において報知され、この図柄変動パターン演出中、或いは、前記大役処理中の場合は、抽選結果を保留し、順次報知していくようになっている。また、図柄変動表示演出と共に、動物などが擬人化されたキャラクタが表示され、抽選で当選した旨を暗示させることにより、遊技者に期待感を持たせるといった、視覚的な演出をすることがあり、その場合は効果音によって聴覚からも遊技者の興趣を増大させる。
【００６５】
なお、本実施の形態では、１個の特別図柄始動入賞口に対して最大４個（本実施の形態では、特別図柄始動入賞口（Ａ）１３０及び特別図柄始動入賞口（Ｂ）１３４の２個の特別図柄始動入賞口なので、８個となる。）の保留が可能となっている。なお、この保留球数に限定されるものではない。
【００６６】
保留球数は、センター役物１０５における、図２に向かって右下に配置され、主として特図表示部を備えた遊技進行ガイドランプユニット１０９の一部である保留ランプによって報知される他、ＬＣＤ表示部１０６の一部を用いて、遊技者に見易く表示するようになっている。
（制御系の構成）
次に、図３を用いてパチンコ機１０の制御系について説明する。
【００６７】
図３に示されるように、本実施形態に係るパチンコ機１０の制御系は、主制御部１５０を中心として構成されており、この主制御部１５０には、演出制御部１５２と払出制御部１５４とが接続されている。主制御部１５０には、遊技に関する基本的なプログラムが記憶されており、この主制御部１５０からの命令信号に基づいて、各部の動作が制御されるようになっている。
【００６８】
主制御部１５０からは盤用外部端子１９０を介してホールコンピュータ（図示省略）へ遊技の進行状態を示す情報（始動入賞信号や大当たり信号、図柄確定回数信号）が送信される。
【００６９】
主制御部１５０には、入力系として、通過ゲート１１８を通過する遊技球ＰＢを検出する通過ゲートセンサ１１８Ｓ、特別図柄始動入賞口（Ａ）１３０への入賞球を検出する特図Ａ始動口センサ１３０Ｓ、特別図柄始動入賞口（Ｂ）１３４への入賞球を検出する特図Ｂ始動口センサ１３４Ｓ、特別遊技状態の際に開放するアタッカー１１２への入賞球を検出するアタッカーセンサ１１２Ｓ、一般入賞口１２０Ａ、１２０Ｂ、１２０Ｃへの入賞球を検出する一般入賞センサ１２０ＡＳ、１２０ＢＳ、１２０ＣＳが接続されている。
【００７０】
また、主制御部１５０には、出力系として、遊技情報をランプの点灯状態で報知するガイドランプユニット１０９、電動チューリップ１３６を開閉する電チューソレノイド１３８、アタッカー１１２の開閉扉１１６を開閉するためのアタッカーソレノイド１４８が接続されている。
【００７１】
演出制御部１５２には、入力系として、操作ボタン５０が接続されている。また、演出制御部１５２には、出力系として、パチンコ機１０の各種遊技部品に設けられた照明演出用の発光素子１３７、スピーカ６０が接続されている。
【００７２】
さらに、演出制御部１５２には、図柄制御部１５６を介してＬＣＤ表示部１０６が接続されている。
【００７３】
払出制御部１５４には、払出装置１６０及び発射制御部１６４が接続され、発射制御部１６４には発射装置１６５が接続されている。この払出制御部１５４は、パチンコ機１０内に設けられた払出装置１６０を作動させて、賞球又は貸し球の払い出し及び停止動作と払出数を制御する。また、発射制御部１６４は、遊技者によるグリップユニット２６（図１参照）の操作により発射装置１６５を作動させて、遊技球ＰＢの発射開始、及び、グリップユニット２６の操作量に応じた発射力を制御する。
【００７４】
さらに、払出制御部１５４では、枠用外部端子１９１を介して払出情報をホールに設置されたホールコンピュータ（図示省略）へ送信するようになっている。
【００７５】
ここで、本実施の形態における演出制御部１５２には、出力系として、図柄制御部１５６を介して電飾制御部１９３が設けられている。この電飾制御部１９３では、後述する主電飾装置２００に設けられた光源部（図５に示す第１の光源部２２２、第２の光源部２２４）の発光制御、並びに可動リフレクタ２１８を回転駆動するための駆動部（図５に示すモータ２１２）を制御する役目を有する。なお、光源部の発光や駆動部による駆動のタイミングは、それぞれの遊技機１０の遊技仕様に基づいて設定されるものである。当該設定には従来には達成し得なかった特有の効果を奏する場合もある。
【００７６】
（主電飾装置）
図４は、前記ＬＣＤ表示部１０６の画像表示面の中央にせり出して演出を実行する主電飾装置２００が示されている。この主電飾装置２００は所謂「パトランプ（登録商標）」と称される回転灯で、光源を中心として凹面鏡が周回することにより光を拡散させる機能を持っている。
【００７７】
図４に示される如く、主電飾装置２００は、駆動機構部が内蔵された筐体２０６と、この筐体２０６から突出する電飾演出部２０８と、を備えている。
【００７８】
なお、図５は、図４に示す電飾演出部２０８を簡略化、かつ本発明の特徴部分を強調するために機能を重視した側面断面図であり、形状は実際のものとは異なる場合がある。
【００７９】
図４に示される如く、筐体２０６は、横長の矩形状であり、前記センター役物１０５の上部に常時固定されている。この筐体２０６内には、電飾演出部２０８を上下動させるための駆動源（図示省略）が搭載され、筐体２０６の前面から、この駆動源によるアクチュエータ２１０（図４（Ｂ）参照）が突出され、前記電飾演出部２０８を支持している。
【００８０】
このため、アクチュエータ２１０が上下動作することで、電飾演出部２０８は、演出位置（図２参照、ＬＣＤ表示部１０６の画像表示面）と退避位置（センター役物１０５に隠れた位置）とを移動されるようになっている。
【００８１】
主電飾装置２００における電飾演出部２０８は、前述したように所謂「パトランプ」機能を有している。
【００８２】
図４及び図５に示される如く、電飾演出部２０８の上部には、モータ２１２が取り付けられている。モータ２１２の回転軸は、図４の下方に突出されている。
【００８３】
このモータ２１２の回転軸突出方向には、電飾演出部２０８の基盤となる支持体２１４が配設されており、当該支持体２１４には、前記モータ２１２の回転軸との干渉を回避するための加工が施されている。
【００８４】
支持体２１４からは、固定リフレクタ２１６として機能する背面部材が延長されている。固定リフレクタ２１６は、お椀上に窪んだ構造となっており、最深部は前記主電飾装置２００の筐体２０６と干渉しないように平面部２１６Ａとなるように加工されており、筐体２０６と固定リフレクタ２１６との間の隙間はほとんどない状態とされ、主電飾装置２００全体として奥行き方向の寸法を小さくする工夫がなされている。
【００８５】
この固定リフレクタ２１６は、内側面が鏡面仕上げされ、凹面鏡２１６Ｍ（図５の鎖線参照）が形成されている。
【００８６】
この固定リフレクタ２１６の凹面鏡２１６Ｍの前面（演出提供先方向）には、可動リフレクタ２１８が配設されている。可動リフレクタ２１８は、お椀形状であり、その内側面は鏡面仕上げされ、凹面鏡２１８Ｍ(図５の鎖線参照）が形成されている。また、可動リフレクタ２１８の外形は、前記固定リフレクタ２１６の外形よりも小さく、これらの周縁間には、図５において図示を省略した所定の隙間Ａ（図４（Ｂ）参照）が設けられ、例えば、固定リフレクタ２１６の凹面鏡２１６Ｍで反射された光の一部が、この隙間から漏れ光となって演出提供先（すなわち遊技者）へ案内される場合がある。
【００８７】
可動リフレクタ２１８は、前記支持体２１４に回転可能に支持され、かつ、前記モータ２１２の回転軸と変速部材（歯車等）を介して連結されている。このため、可動リフレクタ２１８は、モータ２１２の駆動力で、少なくとも１８０°回転され、に吊り下げ支持されている。
【００８８】
可動リフレクタ２１８の内側、かつ当該可動リフレクタ２１８の回転軸Ｌ（図５参照）線上の近傍には、支持部材２２０に支持された第１の光源部２２２と第２の光源部２２４とが配設されている。
【００８９】
支持部材２２０は、配線パターンが設けられた配線基板を兼用しており、前記第１の光源部２２２及び第２光源部２２４に電力を供給する。第１の光源部２２２は、支持部材２２０における正面側（演出提供先と対面する側）に取り付けられ、一方、第２の光源部２２４は、支持部材２２０における裏面側（演出提供先と相反する側）に取り付けられている。なお、支持部材２２０は、図６に示される如く、棒状であることが好ましい。
【００９０】
また、行き交う光の中で集光光が存在する場合、その光の焦点位置に支持部材２２０を配置することを避けて配置されている。すなわち、集光光の何れかの光路の焦点位置に支持部材があると（図６（Ｂ）の状態）、その光の前途が全て遮蔽されることになる（好ましくない構造）。一方、焦点位置からはずれた位置にあれば（図６（Ａ）の状態）、当該光の一部が遮蔽されるが、他部の光の前途は有効、すなわち遮蔽されないので、演出提供先から見れば、支持部材２２０の存在が認識されることがない（好ましい構造）。
【００９１】
可動リフクレタ２１８は、前記モータ２１２の駆動力で、第１の光源部２２０と対面する位置（図５（Ａ）に示す遮蔽位置）と、第２の光源部２２４と対面する位置（図５（Ｂ）に示す背面位置）との間を回転移動するようになっている。なお、詳細な外観としては、遮蔽位置が図７（Ａ）、背面位置が図７（Ｂ）となる。なお、図８は、図２が遮蔽位置であるのに対して、可動リフレクタ２１８が背面位置にあるときを示している。
【００９２】
可動リフレクタ２１８には、筋状のスリット孔２１８Ａが設けられており、前記遮蔽位置に位置決めされているときでも、意図的にこのスリット孔２１８Ａから光を漏らす構造となっている。なお、このスリット孔２１８Ａからの光の透過率は１００％に限らず、０％＜透過率≦１００％であればよく、また、特定の色のみを透過するようにしてもよい。さらには、スリット孔に、メカ式シャッター或いは電子シャッターを取り付けてもよい。
【００９３】
また、可動リフレクタ２１８の回転軌跡の内側の領域、かつ前記支持部材２２０よりも前面（演出提供先側）には、レンズユニット２２６が配設されている。レンズユニット２２６は、大きく分類してスポットライトレンズ部２２６Ａと、拡散レンズ部２２６Ｂとが設けられている。スポットライトレンズ部２２６Ａには、前記第１の光源部２２２からの光が入力され、演出提供先に向けて集光光が出力され、拡散レンズ部２２６Ｂには、第１の光源部２２２及び第２の光源部２２４からの光（可動リフレクタ２１８の凹面鏡２１８Ｍ及び固定リフレクタ２１６の凹面鏡２１６Ｍからの反射光を含む）が拡散されて出力されるようになっている。
【００９４】
すなわち、本実施の形態における主電飾装置２００では、演出制御部１５２からの指令により、センター役物１０５の陰に隠れていた電飾演出部２０８が下降して、ＬＣＤ表示部１０６の画像表示面に配置されると共に、第１の光源部２２２及び第２の光源部２２４の独立した発光制御、並びに、可動リフレクタ２０８の回転動作（背面位置、遮蔽位置）制御により、多様性に富んだ光の演出を実現している。
【００９５】
以下に本実施の形態の作用を説明する。
【００９６】
パチンコ機１０による遊技では、遊技者がグリップユニット２６を操作すると、一球ずつ発射装置１６５によって上方へ発射される。発射された遊技球ＰＢは、外レール１０２に沿って遊技盤１８の遊技領域１９に打ち込まれ、遊技釘や風車に当たり方向を変えながら遊技領域１９内を落下する。そして、入賞せずに遊技領域１９の下端部に至った遊技球ＰＢはアウト口４０からパチンコ機１０内に回収される。
【００９７】
また、遊技球ＰＢが遊技領域１９内に設けた始動入賞口２０に入賞したり、通過ゲート２２を通過すると、それぞれの遊技仕様に基づく処理（例えば、抽選等）が実行されると共に、ＬＣＤ表示部１０６への画像表示演出、スピーカ６０を用いた音演出等が実行される。また、図示は省略したが、普通入賞口に入賞すると、予め定めた賞球（払い出し）が実行される。
【００９８】
（遊技仕様の概要）
まず、主制御部１５０における抽選処理を中心とした遊技制御について説明する。
【００９９】
特別図柄始動入賞口（Ａ）１３０又は特別図柄始動入賞口（Ｂ）１３４に、遊技球ＰＢが入賞すると、有効始動入賞か否かが判断される。この有効始動入賞とは、保留球が満杯（例えば、１個の始動口に対して４個）ではなく、かつ特別図柄始動入賞口（Ａ）１３０又は特別図柄始動入賞口（Ａ）１３４へ遊技球ＰＢが入賞したことを言い、これによって抽選権利を得ることになる。なお、無効始動入賞時は、抽選の権利は与えられないが、所定数（３〜５個程度）の賞球払出しがなされる場合もある。
【０１００】
上記始動入賞が有効始動入賞であった場合には、乱数を取得し、予め記憶されている当り値を読み出し、双方を比較して、抽選が当りか外れかを判定する。
【０１０１】
なお、現在の遊技状態が大当たり処理中、或いは図柄変動パターン演出中の場合は、抽選の権利を保留にするべく、保留数を１つ加算（＋１）し、現在の遊技状態が大当たり処理中ではなく、或いは図柄変動パターン演出中でもなくなったときに、保留数を１つ減算して抽選処理が実行される。
【０１０２】
この抽選の当り／外れに基づいて、図柄変動パターン演出時間を設定し、抽選結果、図柄変動パターン時間を含むコマンドを副制御部１５２へ送出する。
【０１０３】
演出制御部１５２では、抽選の結果を、設定された演出時間を使って報知する。
【０１０４】
この報知後、抽選の結果が当たりの場合には、特別遊技状態（大当たり処理）が実行される。通常遊技状態では常に閉止状態のアタッカー１１２を所定のラウンド数（５Ｒ，１０Ｒ,１５Ｒ）だけ開閉する。なお、アタッカー１１２の開放時間は最大３０秒であり、アタッカー１１２が開放中に所定数（例えば、８〜１０個）の遊技球の入賞があった時点で閉止し、所定の閉止時間をおいて、次のラウンド（開放）に移行する。これにより、遊技者は短時間で多くの遊技球の賞球を受けることができる。
【０１０５】
（主電飾装置２００による演出）
上記遊技仕様に基づく遊技の進行において、特に、抽選の結果を報知する図柄変動パターン演出の際、ＬＣＤ表示部１０６での演出に加え、機械的な動作を伴う、主電飾装置２００による演出をする場合がある。この主電飾装置２００による演出は、例えば、抽選結果に基づいて、副制御部１５２で別途抽選を行ない、ＬＣＤ表示部１０６による演出中の所定のタイミングで実行される。
【０１０６】
すなわち、ＬＣＤ表示部１０６の画像表示面の前面に何も存在しない状態から、図２に示される如く、ＬＣＤ表示部１０６の画像表示面に重なるように、主電飾装置２００と、副電飾装置２０２Ｌ、２０２Ｒがせり出てくる。
【０１０７】
すなわち、主電飾装置２００はＬＣＤ表示部１０６の上部、副電飾装置２０２Ｌ、２０２ＲはＬＣＤ表示部１０６の左右（それぞれセンター役物１０５の内側）に退避されており、特別の演出が指示されたときに、当該図２の位置に配置される（演出位置）。
【０１０８】
以下、主電飾装置２００の光による演出について説明する。
【０１０９】
図２に示す主電飾装置２００は、モータ２１２の駆動力で可動リフレクタ２１８が回転し、遮蔽位置に位置決めされている状態である。このとき、レンズユニット２２６は露出されていない（演出提供先からはほとんど見えない）。
【０１１０】
一方、可動リフレクタ２１８が、この遮蔽位置からモータ２１２の駆動力で回転すると、図５（Ｂ）及び図７（Ｂ）に示される如く、背面位置に位置決めされる。このとき、レンズユニット２２６は露出される（演出提供先から全て見える）。
【０１１１】
主電飾装置２００の動作は、上記の可動リフレクタ２１８の遮蔽位置（図２参照）並びに背面位置（図８参照）の移動であり、これに、第１の光源部２２２と第２の光源部２２４からの光の演出が加味される。
【０１１２】
（遮蔽位置での光演出）
図５（Ａ）に示される如く、可動リフレクタ２１８が遮蔽位置に位置決めされると、レンズユニット２２６のほとんどが演出提供先からは見えない状態である。
【０１１３】
この状態は、実際の外観としては、図７（Ａ）に相当する配置構成であり、第１の光源部２２２から出力された光は、レンズユニット２２６のスポットライトレンズ部２２６Ａ、拡散レンズ部２２６Ｂを通過して、可動リフレクタ２１８の凹面鏡２１８Ｍによって反射し、その後は乱反射して収束する。乱反射の度合いは、装飾部材のクロムメッキ等の領域によって様々であり、一部は演出提供先に漏れ光として案内される場合がある。
【０１１４】
また、レンズユニット２２６のスポットライトレンズ部２２６Ａ、拡散レンズ部２２６Ｂを通過した第１の光源部２２２からの光の一部は、可動リフレクタ２１８のスリット孔２１８Ａを通過し、演出提供先へ到達する。
【０１１５】
一方、第２の光源部２２４から出力された光は、固定リフレクタ２１６の凹面鏡２１６Ａによって反射され、例えば、可動リフレクタ２１８の外周よりも外側から漏れ光となって、演出提供先へ案内される。このとき、支持部材２２０の配置位置がこの反射光の焦点位置には存在しない構成としたので、支持部材によって完全に遮られる光はない（図６（Ａ）参照）。
【０１１６】
（背面位置での光演出）
図５（Ｂ）に示される如く、可動リフレクタ２１８が背面位置に位置決めされると、レンズユニット２２６のほとんどが演出提供先からは見える状態である。
【０１１７】
この状態は、実際の外観としては、図７（Ｂ）に相当する配置構成であり、第１の光源部２２２から出力された光は、レンズユニット２２６のスポットライトレンズ部２２６Ａ、拡散レンズ部２２６Ｂを通過して、直接演出提供先へ到達する。なお、一部の光は、乱反射して、例えば、スポットライトレンズ部２２６Ａから出力される光の背景光となる場合もある。乱反射の度合いは、装飾部材のクロムメッキ等の領域によって様々である。
【０１１８】
一方、第２の光源部２２４から出力された光は、可動リフレクタ２１８の凹面鏡２１８Ｍによって反射されると共に、前記可動リフレクタ２１８のスリット孔２１８Ａを通過して固定リフレクタ２１６の凹面鏡２１６Ｍによって反射される。例えば、可動リフレクタ２１８の凹面鏡２１８Ｍで反射された光は、前記第１の光源部２２２からの光よりも弱い（光量に小さい）光となって、レンズユニット２２６のスポットライトレンズ部２２６Ａ及び拡散レンズ部２２６Ｂから出力され、演出提供先へ案内される。また、固定リフレクタ２１６の凹面鏡２１６Ｍで反射された光は、可動リフレクタ２１８の外周よりも外側（図４（Ｂ）に示す隙間Ａ）から漏れ光となって、演出提供先へ案内される。
【０１１９】
また、このとき、支持部材２２０の配置位置がこの反射光の焦点位置には存在しない構成としたので、支持部材によって完全に遮られる光はない（図６（Ｂ）参照）。
【０１２０】
以上説明したように、本実施の形態では、２個の光源部（第１の光源部２２２及び第２の光源部２２４）と、２個のリフレクタ（可動リフレクタ２１８及び固定リフレクタ２１６）を設けた主電飾装置２００により、多様性のある光の演出を実現することができる。
【０１２１】
従来、このような二重構造のリフレクタの場合、最外周のリフレクタのさらに外側に光源を設け、この最外周のリフレクタに当該光源からの光を内側へ案内するためのの貫通孔を設けると共に、内側のリフレクタの凸面側（重なったときに外側のリフクレタの凹面鏡と対面する面）を鏡面仕上げしなければならなかった。
【０１２２】
しかし、本実施の形態では、可動リフレクタ２１８の内側（凹面鏡２１８Ｍの前面）に支持部材２２０を配置し、その表裏面に第１の光源部２２２及び第２の光源部２２４を設けるようにしたので、固定リフレクタ２１６よりも外側に光源を設ける必要がなくなり、主電飾装置２００の奥行き方向の寸法を小さくすることができる。
【０１２３】
なお、本実施の形態では、主電飾装置２００を例に挙げたが、光源と二重構造の回転灯を備えた、所謂パトライト構造の電飾装置において多様な光演出を行う場合の機能として、図５に示すように、内側のリフレクタ（可動リフレクタ２１８）のさらに内側の回転軸線上に発光方向が相反する２種の光源を配置する基本構成が成立していれば、本発明の効果を奏することができる。従って、主電飾装置２００自体は、遊技盤１８の何れかの位置に固定配置されたものであってもよい。
【符号の説明】
【０１２４】
ＰＢ    遊技球
１０    パチンコ機
１８    遊技盤
１９    遊技釘
２８    上皿部
６０（６０Ｌ、６０Ｃ、６０Ｒ、６０Ｕ）    スピーカ
１０５    センター役物
１０６    液晶表示部（ＬＣＤ表示部）
１３０    特別図柄始動入賞口（Ａ）
１３０Ｓ    特図Ａ始動口センサ
１３４    特別図柄始動入賞口（Ｂ）
１３４Ｓ    特図Ｂ始動口センサ
１３６    電動チューリップ
１１２    アタッカー
１１２Ｓ    アタッカーセンサ
１３８    電チューソレノイド
１４８    アタッカーソレノイド
１５０    主制御部
１５２    演出制御部
１５４    払出制御部
２００    主電飾装置（電飾装置）
２０２Ｌ、Ｒ    副電飾装置
２０６    筐体
２０８    電飾演出部（制御手段）
２１０    アクチュエータ
２１２    モータ（駆動手段）
２１４    支持体
２１６    固定リフレクタ
２１６Ａ    平面部
２１６Ｍ    凹面鏡
２１８    可動リフレクタ
２１８Ａ    スリット孔
２１８Ｍ    凹面鏡
２２０    支持部材
２２２    第１の光源部
２２４    第２の光源部
２２６    レンズユニット
２２６Ａ    スポットライントレンズ部
２２６Ｂ    拡散レンズ部
Ａ    所定の隙間
【図１】
0005690154.tif 000002
【図２】
0005690154.tif 000003
【図３】
0005690154.tif 000004
【図４】
0005690154.tif 000005
【図５】
0005690154.tif 000006
【図６】
0005690154.tif 000007
【図７】
0005690154.tif 000008
【図８】
0005690154.tif 000009